(57)【要約】【課題】スイッチケースの水抜き孔による水の排出を良好に維持するとともに、外部からスイッチケース内への粉塵等の異物の侵入を抑制することができ、装置の信頼性を向上させることができるハンドルバー用スイッチ装置を提供する。【解決手段】車両におけるハンドルバーＨに取り付けられるとともに運転者が操作し得る所定の操作スイッチが形成されたスイッチケース１を具備したハンドルバー用スイッチ装置において、スイッチケース１は、当該スイッチケース１内に浸入した水を外部に排出し得る水抜き孔６と、該水抜き孔６を覆って配設され、水の透過を許容しつつ粉塵等の異物の透過を抑制し得るフィルタ７とを有したものである。【選択図】図４
2012091703.tif 000002
【特許請求の範囲】
【請求項１】
車両におけるハンドルバーに取り付けられるとともに運転者が操作し得る所定の操作スイッチが形成されたスイッチケースを具備したハンドルバー用スイッチ装置において、
前記スイッチケースは、
当該スイッチケース内に浸入した水を外部に排出し得る水抜き孔と、
該水抜き孔を覆って配設され、水の透過を許容しつつ粉塵等の異物の透過を抑制し得るフィルタと、
を有したことを特徴とするハンドルバー用スイッチ装置。
【請求項２】
前記フィルタは、微細孔が多数形成されたスポンジフィルタから成ることを特徴とする請求項１記載のハンドルバー用スイッチ装置。
【請求項３】
前記スイッチケースの下部に固定され、当該スイッチケース内に浸入した水を受け得る下部ケースを具備するとともに、当該下部ケースに前記水抜き孔が形成され、且つ、前記フィルタが収容されて成ることを特徴とする請求項１又は請求項２記載のハンドルバー用スイッチ装置。
【請求項４】
前記下部ケースは、前記フィルタを保持するためのリブが形成されたことを特徴とする請求項３記載のハンドルバー用スイッチ装置。
【発明の詳細な説明】
【技術分野】
【０００１】
本発明は、車両におけるハンドルバーに取り付けられるとともに運転者が操作し得る所定の操作スイッチが形成されたスイッチケースを具備したハンドルバー用スイッチ装置に関するものである。
【背景技術】
【０００２】
一般に、二輪車には操舵用のハンドルバーが備えられており、該ハンドルバーの両端には運転者が走行中把持可能な把持グリップ及びスロットルグリップがそれぞれ取り付けられている。これら把持グリップ又はスロットルグリップに隣接した位置には、二輪車が搭載する各種電装品を操作するための複数の操作スイッチが形成されたスイッチケースを筐体とするハンドルバー用スイッチ装置がそれぞれ固定されている。
【０００３】
例えば、ハンドルバーにおける左側先端近傍（左側の把持グリップにおける基端側）には、ターンシグナルスイッチノブ、ディマースイッチノブ、ホーンボタンなど種々操作ノブ又は操作ボタン（操作手段）が配設されるとともに、それら操作手段の操作に応じて電気的回路を形成可能な操作スイッチが配設されており、二輪車が搭載するウィンカの点滅操作、前照灯の前方照射又は下方照射切り換え操作、ホーンを鳴らす操作などが運転者によって任意に行われ得るようになっている。
【０００４】
然るに、スイッチケース内には、上記の如く電気的回路を形成可能な種々操作スイッチが配設されているため、通常、当該スイッチケース内に浸入した水を外部に排出するための水抜き孔が形成されている。かかる水抜き孔は、例えばスイッチケースの底面に複数形成されて当該スイッチケースの内部と外部とを連通させる貫通孔から成るものとされており、浸入した水を外部に排出することにより、種々操作スイッチに悪影響が及んでしまうのを抑制することができる。尚、かかる先行技術は、文献公知発明に係るものでないため、記載すべき先行技術文献情報はない。
【発明の概要】
【発明が解決しようとする課題】
【０００５】
しかしながら、上記従来のハンドルバー用スイッチ装置においては、水抜き孔からスイッチケース内に浸入した水を排出して内部の種々操作スイッチに対する悪影響を回避することができるものの、当該水抜き孔を介して外部から粉塵等の微細な異物がスイッチケース内に侵入してしまう虞があり、その異物によってスイッチケース内の種々操作スイッチに悪影響が及んでしまう可能性があった。
【０００６】
本発明は、このような事情に鑑みてなされたもので、スイッチケースの水抜き孔による水の排出を良好に維持するとともに、外部からスイッチケース内への粉塵等の異物の侵入を抑制することができ、装置の信頼性を向上させることができるハンドルバー用スイッチ装置を提供することにある。
【課題を解決するための手段】
【０００７】
請求項１記載の発明は、車両におけるハンドルバーに取り付けられるとともに運転者が操作し得る所定の操作スイッチが形成されたスイッチケースを具備したハンドルバー用スイッチ装置において、前記スイッチケースは、当該スイッチケース内に浸入した水を外部に排出し得る水抜き孔と、該水抜き孔を覆って配設され、水の透過を許容しつつ粉塵等の異物の透過を抑制し得るフィルタとを有したことを特徴とする。
【０００８】
請求項２記載の発明は、請求項１記載のハンドルバー用スイッチ装置において、前記フィルタは、微細孔が多数形成されたスポンジフィルタから成ることを特徴とする。
【０００９】
請求項３記載の発明は、請求項１又は請求項２記載のハンドルバー用スイッチ装置において、前記スイッチケースの下部に固定され、当該スイッチケース内に浸入した水を受け得る下部ケースを具備するとともに、当該下部ケースに前記水抜き孔が形成され、且つ、前記フィルタが収容されて成ることを特徴とする。
【００１０】
請求項４記載の発明は、請求項３記載のハンドルバー用スイッチ装置において、前記下部ケースは、前記フィルタを保持するためのリブが形成されたことを特徴とする。
【発明の効果】
【００１１】
請求項１の発明によれば、水抜き孔を覆って配設されて水の透過を許容しつつ粉塵等の異物の透過を抑制し得るフィルタを有したので、スイッチケースの水抜き孔による水の排出を良好に維持するとともに、外部からスイッチケース内への粉塵等の異物の侵入を抑制することができ、装置の信頼性を向上させることができる。
【００１２】
請求項２の発明によれば、フィルタは、微細孔が多数形成されたスポンジフィルタから成るので、水の透過性を良好としつつ粉塵等の異物の透過をより確実に抑制することができる。
【００１３】
請求項３の発明によれば、スイッチケースの下部に固定され、当該スイッチケース内に浸入した水を受け得る下部ケースを具備するとともに、当該下部ケースに水抜き孔が形成され、且つ、フィルタが収容されて成るので、任意形状及び寸法のフィルタを配設させることができる。
【００１４】
請求項４の発明によれば、下部ケースは、フィルタを保持するためのリブが形成されたので、ハンドルバーの操作時などにおいて、フィルタがずれてしまうのを回避することができ、当該フィルタの機能維持を確実に図ることができる。
【図面の簡単な説明】
【００１５】
【図１】本発明の実施形態に係るハンドルバー用スイッチ装置におけるスイッチケースを示す正面図
【図２】同ハンドルバー用スイッチ装置におけるスイッチケースを示す底面図
【図３】図２におけるＩＩＩ−ＩＩＩ線断面図
【図４】同ハンドルバー用スイッチ装置におけるスイッチケースを示す縦断面図
【図５】本発明の他の実施形態に係るハンドルバー用スイッチ装置におけるスイッチケースを示す底面図
【図６】同ハンドルバー用スイッチ装置におけるスイッチケースを示す縦断面図
【図７】本発明の更に他の実施形態に係るハンドルバー用スイッチ装置におけるスイッチケースを示す正面図
【図８】同ハンドルバー用スイッチ装置におけるスイッチケースを示す底面図
【図９】同ハンドルバー用スイッチ装置におけるスイッチケースを示す断面図
【発明を実施するための形態】
【００１６】
以下、本発明の実施形態について図面を参照しながら具体的に説明する。
本実施形態に係るハンドルバー用スイッチ装置は、車両におけるハンドルバーに取り付けられるとともに運転者が操作し得る所定の操作スイッチが形成されたスイッチケースを具備したもので、図１〜４に示すように、スイッチケース１と、下部ケース５と、フィルタ７とから主に構成されている。
【００１７】
スイッチケース１は、ハンドルバーＨ（本実施形態においては左側ハンドルバー）における先端側の把持グリップＧ近傍に固定されたもので、図１に示すように、半割れ形状の第１スイッチケース１ａ及び第２スイッチケース１ｂを組み合わせて成る。第１スイッチケース１ａの第２スイッチケース１ｂとの合わせ面には、円弧状の孔が形成されるとともに、第２スイッチケース１ｂにおける当該孔と対応する部位には、同じく円弧状の孔が形成されている。
【００１８】
これにより、ハンドルバーＨの外周側面を当該２つの孔で嵌合させつつ第１スイッチケース１ａと第２スイッチケース１ｂとを嵌め合わせ、ボルトＢで両者を締め上げれば、スイッチケース１がハンドルバーＨに固定されることとなる。第１スイッチケース１ａ及び第２スイッチケース１ｂの表面（即ち、スイッチケース１における運転者と対向する側の面）には、ディマースイッチノブ２、ターンシグナルスイッチノブ３及びホーンスイッチボタン４がそれぞれ形成されているとともに、当該スイッチケース１内には、それぞれの操作ノブ及び操作ボタンの操作に応じて電気回路が形成されるスイッチａ〜ｃが形成されている。
【００１９】
ディマースイッチノブ２は、スイッチケース１の表面に形成されたシーソー型のスイッチから成るとともに、当該ディマースイッチノブ２の下部には、二輪車が搭載するウィンカ（フラッシャー）を選択的に点滅させ得るターンシグナルスイッチノブ３及び二輪車が具備するホーンを鳴らすためのホーンスイッチボタン４が形成されている。即ち、ディマースイッチノブ２の揺動操作に応じて操作スイッチａが動作し、或いはターンシグナルスイッチノブ３のスライド操作に応じて操作スイッチｂが動作するとともに、ホーンスイッチボタン４の押圧操作に応じて操作スイッチｃが動作することにより、所望電装品に対する操作を行わせ得るのである。
【００２０】
スイッチケース１（第２スイッチケース１ｂ）の底面には、図２、４に示すように、複数（本実施形態においては３つ）の貫通孔１ｂａが形成されているとともに、当該底面における貫通孔１ｂａを覆った部位（スイッチケース１の下部）には、下部ケース５がネジＮにて固定されている。かかる下部ケース５は、スイッチケース１（第２スイッチケース１ｂ）の下部において貫通孔１ｂａを覆いつつ固定された蓋部材から成り、スイッチケース１内に浸入した水を受け得るようになっている。即ち、スイッチケース１内に浸入した水は、その自重にて当該スイッチケース１の底面に至り、貫通孔１ｂａを介して下部ケース５内に入り込むよう構成されているのである。
【００２１】
下部ケース５には、その底面に複数（本実施形態においては３つ）の水抜き孔６が形成されており、当該水抜き孔６によって、貫通孔１ｂａを介して受けた水（スイッチケース１内に浸入した水であって下部ケース５内に至った水）を外部に排出し得るようになっている。尚、かかる水抜き孔６は、本実施形態の如く貫通孔１ｂａに対してオフセットした位置（平面視でずれた位置）に形成するのが好ましい。
【００２２】
また、下部ケース５は、その縁部がスイッチケース１の底面に形成された凸部１ｂｂ（図４参照）にインローにて嵌り込むよう設定されている。然るに、下部ケース５がインローにて所定位置に嵌め込まれることにより、下部ケース５の取り付け時の位置決めが容易に図られるようになっており、その位置決めされた状態にてネジＮにて当該下部ケース５を固定させることができる。
【００２３】
更に、下部ケース５内には、図２（ａ）に示すように、フィルタ７が収容されており、かかるフィルタ７にて水抜き孔６が塞がれた状態となっている。このフィルタ７は、微細孔が多数形成された例えばウレタン製のスポンジフィルタから成るもので、水抜き孔６を覆って配設され、水の透過を許容しつつ粉塵等の異物の透過を抑制し得るよう構成されている。即ち、貫通孔１ｂａを介して受けた水（スイッチケース１内に浸入した水であって下部ケース５内に至った水）は、フィルタ７を透過して水抜き孔６から外部に排出される一方、外部の粉塵等の異物を捕捉して内部に入り込むのを抑制し得るのである。
【００２４】
ここで、フィルタ７は、その目の粗さ（微細孔の径）を所定に設定することにより、水の透過性能を向上させつつ粉塵等の異物の捕捉性能を向上させたものとなっている。このフィルタ７は、スポンジフィルタに代えて、水の透過を許容しつつ粉塵等の異物の透過を抑制し得る他の形態のフィルタ（例えば繊維状部材を成形させたフィルタ等）としてもよい。尚、本実施形態に係るフィルタ７は、図２（ｂ）に示すように、複数の水抜き孔６の何れにも延びてそれぞれを覆い得る形状とされているが、複数の水抜き孔６を覆い得る矩形状のものとしてもよい。
【００２５】
また更に、本実施形態に係る下部ケース５は、図３、４に示すように、フィルタ７を保持するためのリブ５ａが一体形成されている。即ち、リブ５ａは、フィルタ７の外輪郭に沿った位置に形成されており、かかるリブ５ａに倣ってフィルタ７を嵌め込むことにより、下部ケース５内でずれてしまうのを回避しているのである。かかるリブ５ａは、フィルタ７の外輪郭全周に亘って形成されていてもよく、或いは当該外輪郭に相当する一部に形成されていてもよい。
【００２６】
尚、下部ケース５の収容空間における高さ寸法は、フィルタ７の高さ寸法より若干小さく設定されており、フィルタ７を内在させつつ下部ケース５をスイッチケース１に取り付けると、当該フィルタ７が上下方向に圧縮された状態となるように構成されている。これにより、下部ケース５内においてフィルタ７がずれてしまうのをより確実に回避することができる。
【００２７】
上記実施形態によれば、水抜き孔６を覆って配設されて水の透過を許容しつつ粉塵等の異物の透過を抑制し得るフィルタ７を有したので、スイッチケース１の水抜き孔６による水の排出を良好に維持するとともに、外部からスイッチケース１内への粉塵等の異物の侵入を抑制することができ、装置の信頼性を向上させることができる。特に、本実施形態に係るフィルタ７は、微細孔が多数形成されたスポンジフィルタから成るので、水の透過性を良好としつつ粉塵等の異物の透過をより確実に抑制することができる。
【００２８】
また、スイッチケース１の下部に固定され、当該スイッチケース１内に浸入した水を受け得る下部ケース５を具備するとともに、当該下部ケース５に水抜き孔６が形成され、且つ、フィルタ７が収容されて成るので、スイッチケース１の内部に形成された操作スイッチ等のレイアウトや大きさ等に拘わらず、任意形状及び寸法のフィルタ７を配設させることができる。尚、下部ケース５は、本実施形態の如くネジ止めの他、スイッチケース１の下部に対して、爪を係止させて嵌合させるもの或いは溶着又は接着させるものであってもよい。
【００２９】
更に、下部ケース５は、フィルタ７を保持するためのリブ５ａが形成されたので、ハンドルバーＨの操作時などにおいて、フィルタ７がずれてしまうのを回避することができ、当該フィルタ７の機能維持を確実に図ることができる。また、リブ５ａにより下部ケース５の補強を図ることができ、補強機能とフィルタ７のずれ防止機能とを兼ね備えることができる。尚、フィルタ７は、下部ケース５或いはスイッチケース１の底面に接着等にて直接固定させるようにしてもよい。
【００３０】
以上、本実施形態について説明したが、本発明はこれに限定されるものではなく、例えば図５、６に示すように、スイッチケース１の下部に下部ケース８を固定させるとともに、水抜き孔９が当該下部ケース８の底面において単一で大きく開口したものとしてもよい。この下部ケース８内には、水抜き孔９を覆って配設されて水の透過を許容しつつ粉塵等の異物の透過を抑制し得るフィルタ１０が収容されており、スイッチケース１の水抜き孔９による水の排出を良好に維持するとともに、外部からスイッチケース１内への粉塵等の異物の侵入を抑制することができ、装置の信頼性を向上させることができる。
【００３１】
尚、この場合であっても、下部ケース８には、フィルタ１０を保持するためのリブ８ａが形成されており、ハンドルバーＨの操作時などにおいて、フィルタ１０がずれてしまうのを回避することができ、当該フィルタ７の機能維持を確実に図ることができるようになっている。また、上記実施形態と同様、水抜き孔９を貫通孔１ｂａに対してオフセットした位置（平面視でずれた位置）に形成するのが好ましい。この場合のフィルタ１０は、図５（ｂ）に示すように、水抜き孔９を塞ぐ矩形状のものとされているが、他の形状であってもよい。
【００３２】
更に、図７〜９に示すように、スイッチケース１’の底面（第２スイッチケース１ｂの底面）に水抜き孔１’ｂａを直接形成し、当該スイッチケース１’内における水抜き孔１’ｂａを覆った位置にフィルタ１１を配設するようにしてもよい。これにより、下部ケース（５、８）を不要とすることができるので、部品点数を削減して製造コストを低減させることができる。この場合であっても、水の透過を許容しつつ粉塵等の異物の透過を抑制し得るフィルタ１１により、スイッチケース１’の水抜き孔１’ｂａによる水の排出を良好に維持するとともに、外部からスイッチケース１’内への粉塵等の異物の侵入を抑制することができ、装置の信頼性を向上させることができる。この場合のフィルタ１１は、図８（ｂ）に示すように、水抜き孔１’ｂａを塞ぐ形状のものとされているが、他の形状であってもよい。
【００３３】
上記実施形態においては、何れも左側ハンドルバーＨに固定されて、ディマースイッチノブ２、ターンシグナルスイッチノブ３及びホーンスイッチボタン４が形成されたスイッチケースに適用されているが、例えば右側ハンドルバーに固定されて、スタータスイッチボタン等が形成されたスイッチケースに適用してもよい。尚、本実施形態においては二輪車に適用されているが、ハンドルバーを有した他の車両に適用することができる。
【産業上の利用可能性】
【００３４】
スイッチケース内に浸入した水を外部に排出し得る水抜き孔と、該水抜き孔を覆って配設され、水の透過を許容しつつ粉塵等の異物の透過を抑制し得るフィルタとを有したスイッチケースを具備したハンドルバー用スイッチ装置であれば、外観形状が異なるもの或いは他の機能が付加されたもの等にも適用することができる。
【符号の説明】
【００３５】
１  スイッチケース
２  ディマースイッチノブ
３  ターンシグナルスイッチノブ
４  ホーンスイッチボタン
５  下部ケース
５ａ  リブ
６  水抜き孔
７  フィルタ
８  下部ケース
９  水抜き孔
１０  フィルタ
１１  フィルタ
【図１】
2012091703.tif 000003
【図２】
2012091703.tif 000004
【図３】
2012091703.tif 000005
【図４】
2012091703.tif 000006
【図５】
2012091703.tif 000007
【図６】
2012091703.tif 000008
【図７】
2012091703.tif 000009
【図８】
2012091703.tif 000010
【図９】
2012091703.tif 000011